(57)【要約】【課題】各種部品について、それぞれが有する複数の評価項目を総合的に評価しつつ、しかも正確かつ迅速に、その選定作業における採用／不採用の決定を行うことを可能にする。【解決手段】入力インターフェース１０５や通信装置１０７を介して、各部品ごとに、前記複数の評価項目それぞれについての評価結果である評価値を受信し、前記受信した評価値を部品ごとに評価結果データベース１２５に格納する、評価結果登録部１５０と、前記部品ごとに格納された複数の評価値を前記評価結果データベースから読み出し、当該複数の評価値に基づき、各部品ごとの採用を推奨する度合いを示す値である推奨度Ｒを計算し、当該計算された推奨度Ｒを推奨度データベース１２６に格納する、推奨度計算部１５１ととからシステム１００を構成する。【選択図】図１
2008159023.tif 000002
【特許請求の範囲】
【請求項１】
それぞれ複数の評価項目を有する各種部品について、その選定作業における採用／不採用の決定を支援する、部品の採用決定支援システムであって、
入力インターフェースや通信装置を介して、各部品ごとに、前記複数の評価項目それぞれについての評価結果である評価値を受信し、前記受信した評価値を部品ごとに評価結果データベースに格納する、評価結果登録部と、
前記部品ごとに格納された複数の評価値を前記評価結果データベースから読み出し、当該複数の評価値に基づき、各部品ごとの採用を推奨する度合いを示す値である推奨度Ｒを計算し、当該計算された推奨度Ｒを推奨度データベースに格納する、推奨度計算部と、
を備えることを特徴とする、部品の採用決定支援システム。
【請求項２】
各部品の前記複数の評価項目は、その前記評価値が多段階の点数で示される点数評価値である、点数評価項目を含み、
前記各点数評価項目の点数評価値は、各部品の全点数評価項目の点数評価値を表すレーダーチャートにおける折れ線グラフを構成し、
前記推奨度計算部は、各部品についての前記推奨度Ｒを、前記レーダーチャートにおける点数評価値の折れ線グラフが囲む面積を、当該レーダーチャートの総面積で除算することにより求め、当該計算された推奨度Ｒを推奨度データベースに格納することを特徴とする、
請求項１に記載の部品の採用決定支援システム。
【請求項３】
前記推奨度計算部は、各部品について、前記点数評価項目間のバランスを示す適切性Ｄを、全点数評価値の最大値から、全点数評価値の最小値を減算することにより求め、当該適切性Ｄの値が所定以上の場合はその部品について異常フラグを前記推奨度データベースに記録することを特徴とする、
請求項２に記載の部品の採用決定支援システム。
【請求項４】
入力インターフェースや通信装置を介して、各部品ごとに、ユーザが特に重視する評価項目である重視評価項目を指定する情報を受信し、メモリに格納する、重視評価項目登録部と、
前記部品ごとに計算され、格納された推奨度Ｒを前記推奨度データベースから読み出し、当該推奨度Ｒに、メモリから読み出した前記各重視評価項目についての前記各評価値を加味することにより、加味推奨度を計算し、当該計算された加味推奨度をメモリに格納する、加味推奨度計算部と、
前記計算された加味推奨度をメモリから読み出し、出力インターフェースや通信装置を介して出力する、加味推奨度出力部とを備えることを特徴とする、
請求項１〜３のいずれかに記載の部品の採用決定支援システム。
【請求項５】
前記複数の評価項目の内容を時系列的にバージョン管理すべく、評価項目バージョン情報を評価項目バージョンデータベースに格納する、評価項目バージョン登録部を備え、
前記推奨度計算部は、前記部品ごとに計算された推奨度に、その計算時点に対応する評価項目バージョンを関連付け、当該評価項目バージョンをも前記推奨度データベースに記録することを特徴とする、
請求項１〜４のいずれかに記載の部品の採用決定支援システム。
【請求項６】
各部品の前記複数の評価項目は、各種環境基準に関する評価項目を含み、当該環境基準に関する評価項目の前記評価値は、当該環境基準についての合格／不合格で示されることを特徴とする、
請求項１〜５のいずれかに記載の部品の採用決定支援システム。
【請求項７】
前記評価項目の追加または削除の要求データを入力インターフェイスまたは通信装置から受け付けて、前記要求データを出力インターフェイスに表示し、入力インターフェイスから前記要求データに応じた該当評価項目の追加または削除の要求受諾指示を取得した場合、該当評価項目の追加または削除の処理を、前記評価項目バージョンデータベースの該当データについて実行する、評価項目変更処理部を備えることを特徴とする請求項５に記載の部品の採用決定支援システム。
【請求項８】
入力インターフェースや通信装置を介して、所定部品に対して当該部品のユーザが検証した、所定評価項目についての評価結果であるユーザ評価値を受信し、前記受信したユーザ評価値に基づいた部品ごと推奨度を算定し、前記算定した推奨度で、前記推奨度データベースにおいて該当部品について格納されている推奨度を更新する、評価値訂正処理部を備えることを特徴とする請求項１〜７のいずれかに記載の部品の採用決定支援システム。
【請求項９】
評価対象の部品の追加を要求するデータを入力インターフェイスまたは通信装置から受け付けて、前記部品追加要求データを出力インターフェイスに表示し、入力インターフェイスから前記部品追加要求データに応じた該当部品の追加の要求受諾指示を取得した場合、該当部品の評価結果を格納するためのレコードを前記評価結果データベースに追加する、新規部品評価処理部を備えることを特徴とする請求項１〜８のいずれかに記載の部品の採用決定支援システム。
【請求項１０】
それぞれ複数の評価項目を有する各種部品について、その選定作業における採用／不採用の決定を支援する、部品の採用決定支援方法であって、
部品の採用決定支援を行うコンピュータが、
入力インターフェースや通信装置を介して、各部品ごとに、前記複数の評価項目それぞれについての評価結果である評価値を受信し、前記受信した評価値を部品ごとに評価結果データベースに格納する処理と、
前記部品ごとに格納された複数の評価値を前記評価結果データベースから読み出し、当該複数の評価値に基づき、各部品ごとの採用を推奨する度合いを示す値である推奨度Ｒを計算し、当該計算された推奨度Ｒを推奨度データベースに格納する処理と、
を実行することを特徴とする部品の採用決定支援方法。
【請求項１１】
それぞれ複数の評価項目を有する各種部品について、その選定作業における採用／不採用の決定を支援する、部品の採用決定支援プログラムであって、
部品の採用決定支援を行うコンピュータに、
入力インターフェースや通信装置を介して、各部品ごとに、前記複数の評価項目それぞれについての評価結果である評価値を受信し、前記受信した評価値を部品ごとに評価結果データベースに格納するステップと、
前記部品ごとに格納された複数の評価値を前記評価結果データベースから読み出し、当該複数の評価値に基づき、各部品ごとの採用を推奨する度合いを示す値である推奨度Ｒを計算し、当該計算された推奨度Ｒを推奨度データベースに格納するステップと、
を実行させる部品の採用決定支援プログラム。
【発明の詳細な説明】
【技術分野】
【０００１】
本発明は、部品の採用決定支援システム、部品の採用決定支援方法、および部品の採用決定支援プログラムに関し、特に、各種部品について、それぞれが有する複数の評価項目を総合的に評価しつつ、しかも正確かつ迅速に、その選定作業における採用／不採用の決定を行うことを可能にする、部品の採用決定支援システム、部品の採用決定支援方法、および部品の採用決定支援プログラムに関する。
【背景技術】
【０００２】
製造業などにおける部品の調達や管理を支援する技術が提案されている。例えば、特許文献１には、品質の保証を保った部品の調達ができる電子調達システム，電子調達支援装置及び電子調達方法を提供する等の目的の下、購入品認定情報データベース，調達先認定情報データベースを含んで構成される部品認定ファイルを具備したコンピュータを有し、該コンピュータによりネットワークを介して認定された部品情報，該部品の仕様を提供する電子調達支援装置などが開示されている。
【０００３】
また、特許文献２には、事業体として部品に関する情報を一括して管理し、設計者や製造者が良質の部品を容易に選択することを可能とするなどの目的の下、部品を認定するための認定基準を記憶する基準記憶手段と、前記基準記憶手段に記憶されている認定基準に基づいて審査された部品について、審査結果を含む部品データを登録する部品データベースと、部品に関する情報を取得する部品情報取得手段と、前記部品情報取得手段により取得した部品情報と前記基準記憶手段に記憶されている認定基準を審査員に提示する提示手段と、前記審査員による審査の結果を入力する審査情報入力手段と、前記審査情報入力手段により入力された審査の結果に従って、前記部品データベースに登録されている部品データを更新する部品データ更新手段と、を備えることを特徴とする部品管理システムなどが開示されている。
【特許文献１】特開２００２−２８８４９３号公報
【特許文献２】特開２００３−１７８１１３号公報
【発明の開示】
【発明が解決しようとする課題】
【０００４】
ところで、製造業などにおける製品開発などにおいては、設計などを含む開発のリードタイム短縮や製品原価の低減による利益最大化などが常に要求される一方で、環境や、ユーザの安全などに対するさまざまな規制や要請にも応えてゆく必要性が増している。時には膨大な点数にも及ぶ各種部品の選定に関しても、環境やユーザの安全などへの対応や、各種の品質、コスト、サプライヤからの納品の納期など、多数の評価項目について考慮した上で選定しなければならない。その際、これら多数の評価項目を総合的に評価しつつ、しかも正確かつ迅速に、採用／不採用の決定を行う必要がある。ところが、そのような技術はこれまでのところ存在しておらず、開発が望まれていた。
【０００５】
そこで本発明は上記課題を鑑みてなされたものであり、各種部品について、それぞれが有する複数の評価項目を総合的に評価しつつ、しかも正確かつ迅速に、その選定作業における採用／不採用の決定を行うことを可能にする、部品の採用決定支援システム、部品の採用決定支援方法、および部品の採用決定支援プログラムを提供することを主たる目的とする。
【課題を解決するための手段】
【０００６】
上記課題を解決する本発明の部品の採用決定支援システムは、それぞれ複数の評価項目を有する各種部品について、その選定作業における採用／不採用の決定を支援する、部品の採用決定支援システムであって、入力インターフェースや通信装置を介して、各部品ごとに、前記複数の評価項目それぞれについての評価結果である評価値を受信し、前記受信した評価値を部品ごとに評価結果データベースに格納する、評価結果登録部と、前記部品ごとに格納された複数の評価値を前記評価結果データベースから読み出し、当該複数の評価値に基づき、各部品ごとの採用を推奨する度合いを示す値である推奨度Ｒを計算し、当該計算された推奨度Ｒを推奨度データベースに格納する、推奨度計算部とを備える。
【０００７】
また、前記部品の採用決定支援システムにおいて、各部品の前記複数の評価項目は、その前記評価値が多段階の点数で示される点数評価値である、点数評価項目を含み、前記各点数評価項目の点数評価値は、各部品の全点数評価項目の点数評価値を表すレーダーチャートにおける折れ線グラフを構成し、前記推奨度計算部は、各部品についての前記推奨度Ｒを、前記レーダーチャートにおける点数評価値の折れ線グラフが囲む面積を、当該レーダーチャートの総面積で除算することにより求め、当該計算された推奨度Ｒを推奨度データベースに格納することとすれば好適である。
【０００８】
また、前記部品の採用決定支援システムにおいて、前記推奨度計算部は、各部品について、前記点数評価項目間のバランスを示す適切性Ｄを、全点数評価値の最大値から、全点数評価値の最小値を減算することにより求め、当該適切性Ｄの値が所定以上の場合はその部品について異常フラグを前記推奨度データベースに記録することとすれば好適である。
【０００９】
また、前記部品の採用決定支援システムは、入力インターフェースや通信装置を介して、各部品ごとに、ユーザが特に重視する評価項目である重視評価項目を指定する情報を受信し、メモリに格納する、重視評価項目登録部と、前記部品ごとに計算され、格納された推奨度Ｒを前記推奨度データベースから読み出し、当該推奨度Ｒに、メモリから読み出した前記各重視評価項目についての前記各評価値を加味することにより、加味推奨度を計算し、当該計算された加味推奨度をメモリに格納する、加味推奨度計算部と、前記計算された加味推奨度をメモリから読み出し、出力インターフェースや通信装置を介して出力する、加味推奨度出力部とを備えることとすれば好適である。
【００１０】
また、前記部品の採用決定支援システムが、前記複数の評価項目の内容を時系列的にバージョン管理すべく、評価項目バージョン情報を評価項目バージョンデータベースに格納する、評価項目バージョン登録部を備え、前記推奨度計算部は、前記部品ごとに計算された推奨度に、その計算時点に対応する評価項目バージョンを関連付け、当該評価項目バージョンをも前記推奨度データベースに記録することとすれば好適である。
【００１１】
また、前記部品の採用決定支援システムにおいて、各部品の前記複数の評価項目は、各種環境基準に関する評価項目を含み、当該環境基準に関する評価項目の前記評価値は、当該環境基準についての合格／不合格で示されることとすれば好適である。
【００１２】
また、前記部品の採用決定支援システムが、前記評価項目の追加または削除の要求データを入力インターフェイスまたは通信装置から受け付けて、前記要求データを出力インターフェイスに表示し、入力インターフェイスから前記要求データに応じた該当評価項目の追加または削除の要求受諾指示を取得した場合、該当評価項目の追加または削除の処理を、前記評価項目バージョンデータベースの該当データについて実行する、評価項目変更処理部を備えるとすれば好適である。
【００１３】
また、前記部品の採用決定支援システムが、入力インターフェースや通信装置を介して、所定部品に対して当該部品のユーザが検証した、所定評価項目についての評価結果であるユーザ評価値を受信し、前記受信したユーザ評価値に基づいた部品ごと推奨度を算定し、前記算定した推奨度で、前記推奨度データベースにおいて該当部品について格納されている推奨度を更新する、評価値訂正処理部を備えるとすれば好適である。
【００１４】
また、前記部品の採用決定支援システムが、評価対象の部品の追加を要求するデータを入力インターフェイスまたは通信装置から受け付けて、前記部品追加要求データを出力インターフェイスに表示し、入力インターフェイスから前記部品追加要求データに応じた該当部品の追加の要求受諾指示を取得した場合、該当部品の評価結果を格納するためのレコードを前記評価結果データベースに追加する、新規部品評価処理部を備えるとすれば好適である。
【００１５】
また、本発明の部品の採用決定支援方法は、それぞれ複数の評価項目を有する各種部品について、その選定作業における採用／不採用の決定を支援する、部品の採用決定支援方法であって、部品の採用決定支援を行うコンピュータが、入力インターフェースや通信装置を介して、各部品ごとに、前記複数の評価項目それぞれについての評価結果である評価値を受信し、前記受信した評価値を部品ごとに評価結果データベースに格納する処理と、前記部品ごとに格納された複数の評価値を前記評価結果データベースから読み出し、当該複数の評価値に基づき、各部品ごとの採用を推奨する度合いを示す値である推奨度Ｒを計算し、当該計算された推奨度Ｒを推奨度データベースに格納する処理と、を実行することを特徴とする。
【００１６】
また、本発明の部品の採用決定支援プログラムは、それぞれ複数の評価項目を有する各種部品について、その選定作業における採用／不採用の決定を支援する、部品の採用決定支援プログラムであって、部品の採用決定支援を行うコンピュータに、入力インターフェースや通信装置を介して、各部品ごとに、前記複数の評価項目それぞれについての評価結果である評価値を受信し、前記受信した評価値を部品ごとに評価結果データベースに格納するステップと、前記部品ごとに格納された複数の評価値を前記評価結果データベースから読み出し、当該複数の評価値に基づき、各部品ごとの採用を推奨する度合いを示す値である推奨度Ｒを計算し、当該計算された推奨度Ｒを推奨度データベースに格納するステップと、を実行させるプログラムである。  
その他、本願が開示する課題、及びその解決方法は、発明の実施の形態の欄、及び図面により明らかにされる。
【発明の効果】
【００１７】
本発明によれば、各種部品について、それぞれが有する複数の評価項目を総合的に評価しつつ、しかも正確かつ迅速に、その選定作業における採用／不採用の決定を行うことが可能となる。
【発明を実施するための最良の形態】
【００１８】
−−−システム構成−−−
以下に本発明の実施形態について図面を用いて詳細に説明する。図１は本実施形態の部品の採用決定支援システム１００を含むネットワーク構成図である。部品の採用決定支援システム１００（以下、システム１００）は、例えば製造業などの製品開発などにおいて、それぞれ複数の評価項目を有する各種部品について、その選定作業における採用／不採用の決定を支援するシステムである。前記システム１００の機能構成としては、本発明の、部品の採用決定支援方法を実行する機能を実現すべく、書き換え可能メモリなどのプログラムデータベース１０１にプログラム１０２を備えて、このプログラム１０２をメモリ１０３に読み出し、演算装置たるＣＰＵ１０４により実行する。また、前記システム１００は、各種ボタン類などの入力インターフェイス１０５や、ディスプレイなどの出力インターフェイス１０６などを備える。
【００１９】
また、本システム１００は、部品評価システム２００や本システムを使用するユーザのユーザ端末３００、サプライヤ（部品の供給元）の端末４００などの外部装置との間でデータ授受を実行する通信装置１０７などを有している。前記システム１００は、前記通信装置１０７により、部品評価システム２００やユーザ端末３００、サプライヤ端末４００といった外部装置と、例えば公衆回線網、インターネットや無線ＬＡＮなどの各種ネットワーク１４０に接続し、データ授受を実行する。本実施形態では、システム１００とサプライヤ端末４００とはインターネットを介して接続され、システム１００と部品評価システム２００およびユーザ端末３００とは、社内のイントラネットを介して接続されているものとする。また、システム１００の後述する各種機能部と通信装置１０７との間ではＩ／Ｏ部１０８がデータのバッファリングや各種仲介処理を実行している。
【００２０】
続いて、前記システム１００が、例えばプログラム１０２に基づき構成・保持する各種機能部について説明を行う。なお、前記システム１００は、評価結果データベース１２５と、推奨度データベース１２６と、評価項目バージョンデータベース１２７と、部品仕様データベース１２８と、含有化学物質データベース１２９と、評価項目内容データベース１３０とを利用可能であるとする。前記各データベース１２５〜１３０は、前記システム１００のコンピュータ装置が備えるハードディスクドライブなどの適宜な記憶装置に備わるもこととすればよい。或いは、これらデータベース１２５〜１３０がシステム１００とは別にネットワーク１４０上に存在することとしてもよい。この場合、前記システム１００は、例えばＤＢＭＳ（Database Management System）を備え、ネットワーク１４０を介して前記各データベース１２５〜１３０にアクセスし、情報登録や情報検索などの処理を実行することとすればよい。
【００２１】
こうしたシステム１００は、入力インターフェース１０５や通信装置１０７を介して、各部品ごとに、前記複数の評価項目それぞれについての評価値を受信し、前記受信した評価値を部品ごとに評価結果データベース１２５に格納する、評価結果登録部１５０を備える。ここで、評価結果登録部１５０は評価値を、具体的にはどこから受信するかというと、例えば、システム１００の機能（プログラム１０２）により、入力インターフェース１０５から人手により入力することとしてもよいし、社内の既存の部品管理システムなどからイントラネットなどを介して受信することとしてもよい。本実施形態では、システム１００とイントラネットを介し接続された社内の部品評価システム２００から受信することとする。
【００２２】
本実施形態では、各部品の前記複数の評価項目は、その前記評価値が多段階の点数で示される点数評価値である、点数評価項目を含む。具体的には、部品の品質に関する品質評価項目と、納期やコストといった部品の調達先（サプライヤ）に関する調達評価項目とが、点数評価項目として想定されている。点数評価値は、本実施形態では、１から５までの５段階評価で表される点数であり、１が最も評価が低く、５が最も評価が高い。
【００２３】
また、本実施形態では、各部品の前記複数の評価項目は、各種環境基準に関する評価項目を含み、当該環境基準に関する評価項目の前記評価値は、当該環境基準についての合格／不合格で示される。前記点数評価項目に対し、この環境基準のようにその評価値が合格／不合格で示される評価項目を合否評価項目と呼び、その評価値を合否評価値と呼ぶこととする。環境基準のような合否評価項目は、５段階の点数で示される上記点数評価項目と異なり、いわば二値的な評価値を有する評価項目である。
【００２４】
したがって、本実施形態では、合計三種類の評価項目を想定している。すなわち、点数評価項目である品質評価項目および調達評価項目と、合否評価項目である環境評価項目の三種類である。合否評価項目としては、環境評価項目以外にも例えば、ユーザの安全性に関する評価項目などを含むことも可能である。そしてこれら三種類の評価項目は、それぞれ複数のさらに詳細な評価項目を（（例えば品質評価項目では、性能、耐久性、耐熱性など）有する。
【００２５】
また、システム１００は、前記部品ごとに格納された複数の評価値を前記評価結果データベース１２５から読み出し、当該複数の評価値に基づき、各部品ごとの採用を推奨する度合いを示す値である推奨度Ｒを計算し、当該計算された推奨度Ｒを推奨度データベース１２６に格納する、推奨度計算部１５１を備える。このように、本実施形態によれば、多数の評価項目の評価値に基いて、各部品の推奨度を計算することにより、それら多数の評価項目を総合的に、しかも推奨度というひとつの基準値に集約させて評価することが可能となるため、有利である。また、この推奨度は、システム１００によりコンピュータを用いて自動計算されるので、部品の選定作業における採用／不採用の決定において、非常に正確かつ迅速な判断基準として参照することができるため、有利である。
【００２６】
推奨度計算部１５１により計算され、推奨度データベース１２６に格納された推奨度は、必要に応じ、システム１００のプログラム１０２の機能により、出力インターフェース１０５や通信装置１０７を介してディスプレイ画面などに出力されることとしてもよい。
【００２７】
また、前記各点数評価項目の点数評価値は、各部品の全点数評価項目の点数評価値を表すレーダーチャートにおける折れ線グラフを構成し、前記推奨度計算部１５１は、各部品についての前記推奨度Ｒを、
Ｒ＝前記レーダーチャートにおける点数評価値の折れ線グラフが囲む面積／当該レーダーチャートの総面積
として求め、当該計算された推奨度Ｒを推奨度データベース１２６に格納することとすれば好適である。
【００２８】
具体的には、図２に示す例のようなレーダーチャートを想定し、推奨度を求める。図２では、例えば「容量が○○ピコファラドのコンデンサ」などのように同一の仕様を有する４つの部品（コードＡＡ−００１からＡＡ−００４で示されている）を比較検討するために、当該４つの部品それぞれについて、３つの品質評価項目（性能、耐久性、耐熱性)および３つの調達評価項目(与信度、納期、コスト）からなる合計６つの点数評価項目の点数評価値を、レーダーチャートの６本のプロット軸上にプロットしている。６つの評価値が描く折れ線グラフは、かならず閉じた図形を形成する。各部品の推奨度Ｒは、各部品の点数評価値折れ線グラフの面積Ｓｐを求め、これを（図２の例では正六角形の）レーダーチャートの総面積Ｓｍａｘで除することにより求められる。  
ＳｐおよびＳｍａｘの計算は、簡便のため、６つの点数評価値を合算することにより行うこととしてもよい。その場合、Ｓｍａｘは、Ｓｍａｘ＝満点の５点×６＝３０となる。
【００２９】
ここで、本実施形態では、図２のようなレーダーチャートを、システム１００やユーザ端末３００などのディスプレイ画面などに出力するわけではない。あくまでシステム１００の内部処理として、このようなレーダーチャートとその面積を想定し、推奨度を求める計算処理を実行するだけである。だが、必要に応じて、このようなレーダーチャートをシステム１００やユーザ端末３００などのディスプレイなどに出力できるようにしてもよい。
【００３０】
Ｓｐ／Ｓｍａｘで示される推奨度Ｒは、全点数評価項目の点数評価値が満点（＝５）のときに、最大値１となる。以上のように推奨度を求めることによって、多数の評価項目を有する各種部品について、その集約された総合評価である推奨度を客観的、数量的な基準値として求めることができる。しかも、この推奨度は、最大値（最大評価値）が１となるよう標準化された値であるので、部品間で比較することが可能である。この結果、部品の選定作業における採用／不採用の決定を、客観的活数量的に行うことが可能となるため、有利である。
【００３１】
また、前記推奨度計算部１５１は、各部品について、前記点数評価項目間のバランスを示す適切性Ｄを、
Ｄ＝全点数評価値の最大値−全点数評価値の最小値
として求め、当該適切性Ｄの値が所定以上の場合はその部品について異常フラグを前記推奨度データベース１２６に記録することとすれば好適である。本実施形態では、適切性Ｄの値が４以上の場合に以上フラグを立てることとする。すなわち、図２の例でいうと、６つの点数評価値のうちのいずれかの点数評価値が最高点である５点であり、他のいずれかが最低点である１点である場合に、Ｄの値が４となる。
【００３２】
このように、Ｄの値が所定以上となるということは、各点数評価項目間の点数評価値が安定しておらず、ばらつきが大きいことを示す。これは、その部品の全体的な評価としては、ある点数評価項目の点数がいかに高くとも、全体としてのバランスを欠くとみなし、したがって本実施形態では「異常」のフラグを記録するのである。このようにすれば、ただ単に全評価項目を合算的に総合評価するのみならず、その部品の全評価項目間のバランス、安定性といった性質までも適切に評価することが可能となるため、有利である。
【００３３】
また、システム１００は、入力インターフェース１０５や通信装置１０７を介して、各部品ごとに、ユーザが特に重視する評価項目である重視評価項目を指定する情報を受信し、メモリ１０３に格納する、重視評価項目登録部１５２を備える。企業などにおいては、設計部門や購買部門、品質管理部門など様々な担当者が部品の選定作業に関わり、それぞれ様々な評価項目から部品の比較検討を行うことが考えられる。例えば、あるユーザは、欧州における環境基準であるＲｏＨＳ指令をクリアすることを重視し、別の担当者はコストを重視するといった具合にである。そこで、本実施形態では、ユーザごとに異なる重視評価項目を個別かつ詳細に指定できるようにしているため、有利である。
【００３４】
ここで、本実施形態では、重視評価項目として合否評価項目である環境評価基準を指定した場合には、当該評価項目をクリア（合格）しない部品については、以降に続く加味推奨度計算の対象から除外する処理を実行する。
【００３５】
また、システム１００は、前記部品ごとに計算され、格納された推奨度Ｒを前記推奨度データベース１２６から読み出し、当該推奨度Ｒに、メモリ１０３から読み出した前記各重視評価項目についての前記各評価値を加味することにより、加味推奨度を計算し、当該計算された加味推奨度をメモリ１０３に格納する、加味推奨度計算部１５３を備える。
【００３６】
ここで、加味推奨度の計算の一例について説明する。本実施形態では、重視評価項目として指定された点数評価項目（ここではＡとＢのふたつであるとする)それぞれの点数評価値（それぞれａとｂとする）を、満点の値である５で除したもの、すなわちａ／５およびｂ／５を前記レーダーチャートから計算された推奨度Ｒに乗ずることにより、加味推奨度を求める。例えば、点数評価項目ＡとＢがともに満点の５点である場合には、加味推奨度は、推奨度Ｒ×（５／５）×（５／５）＝Ｒである。また例えば、点数評価項目ＡとＢがそれぞれ３点と１点である場合には、加味推奨度は、推奨度Ｒ×（３／５）×（１／５）＝Ｒ／１５となる。後者の例では、前者の例よりも、加味推奨度の値が１／１５となってしまっている。このように、この例による加味推奨度の計算では、部品間の推奨度の差異を、非常に客観的に、数量的に把握することができる。
【００３７】
以上のように、ユーザごとに重視評価項目を指定し、その加味推奨度を例えば上記の例のように求めることによって、様々に異なるユーザのニーズを個別にかつ詳細に反映させた上で、客観的かつ数量的な評価基準である加味推奨度を用いて、より現実に即したきめ細かな部品選定を支援することが可能となる。
【００３８】
また、システム１００は、前記計算された加味推奨度をメモリ１０３から読み出し、出力インターフェース１０６や通信装置１０７を介して出力する、加味推奨度出力部１５４を備える。本実施形態では、より具体的には、ユーザはまず自身のユーザ端末３００から、システム１００において、例えば「容量が○○ピコファラドのコンデンサ」といった特定の仕様を有する部品を検索し、次に検索された部品のそれぞれについて、所望の重視評価項目の点数評価値を加味した加味推奨度を計算させ、ユーザ端末３００のディスプレイ画面に結果を表示させる。その際、加味推奨度の高い順に表示することとすれば、選定しやすくなるため好適である。またこの際、前述の適切性Ｄにおいて「異常」と判断された部品、すなわち各点数評価項目間のバランスが悪いと判断された部品については、その旨を表示することとすれば、適切性に欠ける部品をユーザに一目瞭然に把握できるので好適である。
【００３９】
また、システム１００は、前記複数の評価項目の内容を時系列的にバージョン管理すべく、評価項目バージョン情報を評価項目バージョンデータベース１２７に格納する、評価項目バージョン登録部１５５を備え、さらに、前記推奨度計算部は、前記部品ごとに計算された推奨度に、その計算時点に対応する評価項目バージョンを関連付け、当該評価項目バージョンをも前記推奨度データベース１２６に記録することとすれば好適である。このようにすれば、例えば、評価項目が増減したり、環境基準のような評価項目の基準が変更されたりした場合には、迅速かつ柔軟に、評価項目バージョンデータベース１２７に格納された評価項目バージョン情報を更新することができる。また、そのような場合、必要であれば、以前に計算され格納された各部品の推奨度を、新たな評価項目バージョンの評価項目内容に基づいて計算しなおし、迅速かつ柔軟に、推奨度データベース１２６の内容を更新することも可能となるので、有利である。
【００４０】
なお、これまで示した前記システム１００における各機能部１５０〜１５５は、ハードウェアとして実現してもよいし、メモリ１０３やＨＤＤ（Ｈａｒｄ  Ｄｉｓｋ  Ｄｒｉｖｅ）などの適宜な記憶装置に格納したプログラム１０２として実現することとしてもよい。本実施形態のように後者の場合には、前記システム１００のＣＰＵ１０４が、プログラム実行に合わせて記憶装置より該当プログラムをメモリ１０３に読み出して、これを実行することとなる。
【００４１】
次に、部品評価システム２００について説明する。部品評価システム２００は、評価結果登録部１５０に各種評価項目の評価値を送信するコンピュータであって、その機能構成としては、書き換え可能メモリなどのプログラムデータベースにプログラムを備えて、このプログラムをメモリに読み出し、演算装置たるＣＰＵにより実行する。また、部品評価システム２００は、各種ボタン類などの入力インターフェイスや、ディスプレイなどの出力インターフェイスなどを備える。また、部品評価システム２００は、システム１００などの外部装置との間でデータ授受を実行する通信装置などを有している。部品評価システム２００は、この通信装置により、イントラネットを介してシステム１００と接続し、データ授受を実行する。また、部品評価システム２００の各種機能部と通信装置との間ではＩ／Ｏ部がデータのバッファリングや各種仲介処理を実行している。
【００４２】
また、部品評価システム２００は、各種機能部として、環境評価部２００ａ、品質評価部２００ｂ、調達評価部２００ｃを備えている。機能部２００ａ〜２００ｃは、それぞれ、環境評価項目、品質評価項目、調達評価項目の評価結果である評価値を生成し、システム１００の評価結果登録部１５０へと送信する。これらの評価結果を生成するには、具体的には例えば、既存の部品管理システムに登録された評価結果情報を読み出すことにより処理することとしてもよいし、新規に登録する部品などの場合は、サプライヤの端末４００から送信された、部品の仕様情報や化学物質情報などに基づき、人手により登録することなどとしてもよい。後述する処理フロー例１においては、人手により登録する場合の例について説明する。  
図１では、部品評価システム２００の、各種機能部２００ａ〜２００ｃ以外の上記各構成要素については図示省略している。
【００４３】
次に、ユーザ端末３００について説明する。ユーザ端末３００は、システム１００を利用し部品選定を実行するユーザが使用する、例えばパーソナルコンピュータなどのコンピュータであって、その機能構成としては、書き換え可能メモリなどのプログラムデータベースにプログラムを備えて、このプログラムをメモリに読み出し、演算装置たるＣＰＵにより実行する。また、ユーザ端末３００は、各種ボタン類などの入力インターフェイスや、ディスプレイなどの出力インターフェイスなどを備える。また、ユーザ端末３００は、システム１００などの外部装置との間でデータ授受を実行する通信装置などを有している。ユーザ端末３００は、この通信装置により、イントラネットを介してシステム１００と接続し、データ授受を実行する。また、ユーザ端末３００の各種機能部と通信装置との間ではＩ／Ｏ部がデータのバッファリングや各種仲介処理を実行している。  
図１では、ユーザ端末３００の上記各構成要素については図示省略している。
【００４４】
次に、サプライヤの端末４００について説明する。サプライヤの端末４００は、システム１００に、当該サプライヤが納品する部品の仕様情報や、環境基準に関わる化学物質情報などを送信するための端末であって、例えばパーソナルコンピュータなどのコンピュータであって、その機能構成としては、書き換え可能メモリなどのプログラムデータベースにプログラムを備えて、このプログラムをメモリに読み出し、演算装置たるＣＰＵにより実行する。また、サプライヤの端末４００は、各種ボタン類などの入力インターフェイスや、ディスプレイなどの出力インターフェイスなどを備える。また、サプライヤの端末４００は、システム１００などの外部装置との間でデータ授受を実行する通信装置などを有している。サプライヤの端末４００は、この通信装置により、インターネット１４０を介してシステム１００と接続し、データ授受を実行する。また、サプライヤの端末４００の各種機能部と通信装置との間ではＩ／Ｏ部がデータのバッファリングや各種仲介処理を実行している。  
図１では、サプライヤの端末４００の上記各構成要素については図示省略している。
【００４５】
−−−データベース構造−−−
次に、本実施形態のシステム１００が利用する、評価結果データベース１２５、推奨度データベース１２６、評価項目バージョンデータベース１２７、部品仕様データベース１２８、含有化学物質データベース１２９、および評価項目内容データベース１３０の各データ構造について説明する。
【００４６】
評価結果データベース１２５は、評価結果登録部１５０により各種評価結果情報が部品ごとに格納されるデータベースであって、本実施形態では、環境評価結果データベース１２５ａ、品質評価結果データベース１２５ｂ、および調達評価結果データベース１２５ｃから構成される。
【００４７】
図３は、本実施形態における環境評価結果データベース１２５ａのデータ構造例１を示す図である。図３に示すように、環境評価結果データベース１２５ａは、環境評価項目の評価結果を格納するデータベースであり、例えば、部品コードをキーとして、各種環境基準の合否評価値を対応付けたレコードの集合体となっている。
【００４８】
図４は、本実施形態における品質評価結果データベース１２５ｂのデータ構造例２を示す図である。図４に示すように、品質評価結果データベース１２５ｂは、品質評価項目の評価結果を格納するデータベースであり、例えば、部品コードをキーとして、性能、耐久性、耐熱性といった各種品質評価項目の点数評価値を対応付けたレコードの集合体となっている。
【００４９】
図５は、本実施形態における調達評価結果データベース１２５ｃのデータ構造例３を示す図である。図５に示すように、調達評価結果データベース１２５ｃは、調達評価項目の評価結果を格納するデータベースであり、例えば、部品コードをキーとして、コスト、納期、与信度といった各種調達評価項目の点数評価値を対応付けたレコードの集合体となっている。
【００５０】
また、図６は本実施形態における推奨度データベース１２６のデータ構造例４を示す図である。推奨度データベース１２６は、推奨度計算部１５１により計算された推奨度Ｒを部品ごとに格納するデータベースであり、また、適切性Ｄの値の異常の有無に関する情報をも格納する。さらに、各推奨度に関連付けて、各推奨度計算時点に対応する評価項目バージョンをも格納するデータベースである。例えば部品コードをキーとして、推奨度、評価項目バージョン、適切性Ｄの異常フラグといった情報を対応付けたレコードの集合体となっている。
【００５１】
また、図７は本実施形態における評価項目バージョンデータベース１２７のデータ構造例５を示す図である。評価項目バージョンデータベース１２７は、評価項目バージョン登録部１５５により、評価項目バージョンごとの評価項目内容が格納されるデータベースである。例えば評価項目バージョンをキーとして、当該バージョンにおける推奨度計算の開始日、同終了日、評価項目内容、コメントといった情報を対応付けたレコードの集合体となっている。
【００５２】
また、図８は本実施形態における製品仕様データベース１２８のデータ構造例６を示す図である。製品仕様データベース１２８は、システム１００のプログラム１０２により、サプライヤの端末４００から受信される、当該サプライヤが供給する部品の仕様に関する情報が格納されるデータベースである。例えば部品コードをキーとして、部品名、メーカ型番、メーカ名、ファミリー名などといった情報を対応付けたレコードの集合体となっている。
【００５３】
また、図９は本実施形態における含有化学物質データベース１２９のデータ構造例７を示す図である。製品仕様データベース１２９は、システム１００のプログラム１０２により、サプライヤの端末４００から受信される、当該サプライヤが供給する部品の含有化学物質に関する情報が格納されるデータベースである。例えば部品コードをキーとして、各種化学物質の含有量などの情報を対応付けたレコードの集合体となっている。
【００５４】
また、図１０は本実施形態における評価項目内容データベース１３０のデータ構造例８を示す図である。評価項目内容データベース１３０は、現時点における評価項目バージョンの各評価項目内容をリストアップしたマスタとして機能するデータベースでもあり、また、各評価項目の有効／無効フラグを記録するデータベースである。例えば、現時点における評価項目バージョンの各評価項目内容のうち、特定の評価項目については評価したくない場合には、この有効／無効フラグ情報のエリアに無効フラグが登録される。例えば評価項目をキーとして、部品評価システム２００における機能部名（すなわち、当該評価項目の評価結果を生成するプログラム名）、各評価項目の評価値種類（点数評価値または合否評価値）、有効／無効フラグなどといった情報を対応付けたレコードの集合体となっている。
【００５５】
−−−処理フロー例−−−
以下、本実施形態における部品の採用決定支援方法に対応する処理フロー例について、図に基づき説明する。なお、以下で説明する部品の採用決定支援方法に対応する各種動作は、前記システム１００が、適宜なメモリ１０３に読み出して実行するプログラム１０２によって実現される。そして、こうしたプログラム１０２は、以下に説明される各種の動作を行うためのコードからそれぞれ構成されている。
【００５６】
−−−処理フロー例１−−−
図１１は、本実施形態の部品の採用決定支援方法の実施手順例１を示すフロー図である。ここではまず、各部品の評価から推奨度の計算と格納処理までの流れについて説明する
処理フロー例１の処理は、基本的にシステム１００により自動的に実行される。すなわち、本フローでは、ユーザがユーザ端末３００からシステム１００にアクセスすることはない。本フローは、ユーザが実際に部品認定作業を行う際に、その採用／不採用の決定を支援する処理を実行するための、いわば準備段階である。システム１００では、当該システム１００の管理者が、入力インターフェース１０５を介して評価結果の登録作業などを行ってゆく。
【００５７】
まず、システム１００では、サプライヤの端末４００から、通信装置１０７を介して部品の内容を示す情報である部品仕様情報および含有化学物質情報を受信し、それぞれ部品仕様データベース１２８および含有化学物質データベース１２９に格納しておく（ｓ１００）。この処理は、サプライヤが新規に納入する部品についての情報を送信する都度、随時実行されることとすればよい。
【００５８】
次に、システム１００では、管理者が入力インターフェース１０５から、各評価項目について有効／無効を選択し、登録する（ｓ１０２）。具体的には、出力インターフェース１０６であるディスプレイに表示された、図１２に示すような評価項目の有効／無効登録画面における有効／無効ボタン８から、評価項目ごとに有効／無効が入力され、登録ボタン９を押すことにより、その情報が評価項目内容データベース１３０に記録される。
【００５９】
次に、管理者は、システム１００から、ある部品について、その各種評価結果である評価値を送信するよう、部品評価システム２００に依頼要求を送信する（ｓ１０４）。ここで、管理者が評価値の送信を要求する理由は、２通り想定される。ひとつは、新規の部品であるためにその評価値の送信を要求する場合である。もうひとつは、新たな評価項目の追加や評価項目の一部削除、あるいは環境基準などの変更により、評価項目バージョンが更新された場合などである。
【００６０】
部品評価システム２００は、ステップｓ１０４の送信要求を受けて、当該部品についての評価結果である各種評価値を送信する。システム１００の評価結果登録部１５０では、これを受信し、評価結果データベース１２５に格納する（ｓ１０６）。このとき、部品評価システム２００の処理としては、前記２通りの要求理由のうち、前者の理由（新規の部品）である場合は、当該部品についての評価値を読み出し、送信すればよい。後者の理由である場合は、すでに各種評価値を登録済みの全ての部品について、再度、評価処理を実行し、新たな評価項目バージョンに基づく評価値を、システム１００に向けて送信する。
【００６１】
また、部品評価システム２００における各種評価項目について評価値を生成する評価処理は、具体的には例えば、システム１００の部品仕様データベース１２８および含有化学物質データベース１２９にアクセスし、これらを参照しつつ、人手により行うこととすればよい。その際、環境評価項目については、例えば、図１３に示すような環境基準ファイルの内容１１を参照しつつ、合格／不合格で示される合否評価値を決定する。品質評価項目については、例えば、図１４に示すような「品質評価項目の評価値登録画面」１２から、各種評価項目の点数評価値を登録することとすればよい。また、調達評価項目については、例えば、図１５に示すような「調達評価項目の評価値登録画面」１３から、各種評価項目の点数評価値を登録することとすればよい。
【００６２】
次に、システム１００では、推奨度計算部１５１にて、ステップｓ１０６において評価値を受信し格納した部品についての推奨度Ｒを計算し、推奨度データベース１２６に格納する（ｓ１０８）。
【００６３】
次に、システム１００では、推奨度計算部１５１にて、ステップｓ１０８において推奨度Ｒを計算した部品について、適切性Ｄを計算し、適切性Ｄの値が４以上の場合は、当該部品について異常フラグを推奨度データベース１２６に記録する（ｓ１１０）。
【００６４】
次に、システム１００では、推奨度計算部１５１にて、ステップｓ１０８において計算された推奨度Ｒに、現計算時点での評価項目バージョンを関連付け、当該評価項目バージョン情報をも、推奨度データベース１２６に記録する（ｓ１１２）。
【００６５】
以上で、処理フロー例１の処理は終了となる。
【００６６】
−−−処理フロー例２−−−
図１６は、本実施形態の部品の採用決定支援方法の実施手順例２を示すフロー図である。ここでは、例えば設計部門や購買部門に所属するユーザが、ユーザ端末３００からシステム１００にアクセスし、実際に部品認定作業を行う際に、システム１００がその採用／不採用の決定を支援する処理について説明する。
【００６７】
まず、システム１００にアクセスしたユーザは、図１７に示すような「加味推奨度  条件入力画面」１４をユーザ端末３００に表示するようシステム１００に要求し、システム１００は当該画面をユーザ端末３００に送る（ｓ２００）。次にユーザは、上段の＜部品検索＞部の各ブランクボックスに、部品の仕様などに関する情報を入力し、システム１００ではこれを受け付け、メモリ１０３に格納する（ｓ２０２）。これにより、例えば「容量が○○ピコファラドのコンデンサ」といった、ユーザが所望する仕様の部品を検索することができる。
【００６８】
次にユーザは、下段の＜重視評価項目の選択＞部にて、各チェックボックスから、重視評価項目を選択しする。システム１００の重視評価項目登録部１５２では、これを受信し、メモリ１０３に格納する（ｓ２０４）。
【００６９】
次にユーザが、「実行」ボタン１５を押すことにより、システム１００では、上記ユーザ所望の仕様に該当する部品を、部品仕様データベース１２８から抽出するとともに、当該抽出された部品の中から、ユーザが重視評価項目として選択した環境基準（図１７の例では、ＲｏＨＳ、ＷＥＥＥ、ＥＬＶの３つの環境基準が選択可能）において合格している部品を、環境評価結果データベース１２５ａを参照しつつ抽出する（ｓ２０６）。環境評価結果データベース１２５ａには、部品評価システム２００により生成され、送信された、合否評価項目である環境評価項目の合否評価値が格納されている。
【００７０】
次に、システム１００の加味推奨度計算部１５３では、ステップｓ２０６において抽出された、すなわちユーザ所望の仕様に合致し、かつユーザが重視評価項目として指定した環境基準を満たすものとして抽出された部品について、加味推奨度を計算し、メモリ１０３に格納する（ｓ２０８）。その際、加味推奨度計算部１５３では、ステップｓ２０４においてメモリ１０３に格納された環境評価項目以外の重視評価項目、すなわち点数評価項目である品質評価項目および調達評価項目の中の重視評価項目について、その点数評価値を、品質評価結果データベース１２５ｂおよび調達評価結果データベース１２５ｃから読み出し、計算に使用する。
【００７１】
次に、システム１００の加味推奨度出力部１５４では、ステップｓ２０８において計算されメモリ１０３に格納された加味推奨度を読み出し、通信装置１０７を介してユーザ端末３００に送信し、その結果をユーザ端末３００のディスプレイに出力する（ｓ２１０）。図１８には、加味推奨度の計算結果表示画面の一例１６を示している。図１８の例では、抽出された部品について、加味推奨度の高い順に表示されている。また、処理フロー例１のステップｓ１１０において計算された適切性Ｄが４以上であり、異常フラグを記録された部品（上から３段目の部品コードＡＡ−００３の部品）１７については、適切性の異常を示すハイライト表示がされている。この結果を参考にしつつ、ユーザは、部品の選定作業において、採用／不採用の決定を行う。以上で、処理フロー例２の処理は終了となる。
【００７２】
−−−他実施形態−−−
次に、他の実施形態について説明する。図１９は、他実施形態における、部品の採用決定支援システムを含むネットワーク構成図である。この実施形態では、前記評価項目や評価対象の部品についての追加や削除、或いは、各部品に対する実際の評価をユーザからフィードバックしてもらってそのユーザ評価を該当部品の評価値に反映するといった処理機能を担うシステムを想定する。このシステムは、図１９のシステム構成で示す部品評価フィードバックシステム５００を含むシステム１００であり、前記部品評価システム２００と連携する装置でもある。勿論、この部品評価フィードバックシステム５００が前記システム１００ないし部品評価システム２００と一体となっている例の他に、前記システム１００とは別体の装置に構成されるとしてもよい。なお、本実施形態では、この部品評価フィードバックシステム５００の備える機能を前記システム１００が備える形態も想定する。
【００７３】
前記システム１００とは別体の装置で部品評価フィードバックシステム５００が実現されるとすれば、この部品評価フィードバックシステム５００は前記システム１００らと同様に、コンピュータ装置が備えるＣＰＵやメモリ、入出力インターフェイス類、通信装置といったハードウェア構成を有する。部品評価フィードバックシステム５００が前記システム１００と装置的に一体となっている場合は、ハードウェアは共用で、部品評価フィードバックシステム５００として実現する機能を前記記憶装置１０１においてプログラムの形態で備えるものとする。
【００７４】
以下、前記システム１００（に含まれる部品評価フィードバックシステム５００）が、前記プログラムに基づき構成・保持する各種機能部について説明を行う。
【００７５】
前記システム１００は、前記ユーザ端末３００ないし管理者端末６００（前記システム１００の管理者が利用する端末）由来の、前記評価項目の追加または削除の要求データを入力インターフェイス１０５または通信装置１０７から受け付けて、前記要求データを出力インターフェイス１０６に表示し、入力インターフェイス１０５から前記要求データに応じた該当評価項目の追加または削除の要求受諾指示を取得した場合、該当評価項目の追加または削除の処理を、前記評価項目バージョンデータベース１２７の該当データについて実行する、評価項目変更処理部５１０を備える。なお、前記評価項目変更処理部５１０は、前記評価項目の追加または削除の要求データを入力インターフェイス１０５または通信装置１０７から一定の期間にわたって受け付けて新規評価項目蓄積データベース５２５にて蓄積し、前記一定期間の経過後、蓄積データを前記出力インターフェイス１０６に表示するとしてもよい。
【００７６】
また、前記システム１００は、入力インターフェース１０５や通信装置１０７を介して、前記ユーザ端末３００由来の、所定部品に対して当該部品のユーザが検証した、所定評価項目についての評価結果であるユーザ評価値を受信し、前記受信したユーザ評価値に基づいた部品ごと推奨度を算定し、前記算定した推奨度で、前記推奨度データベース１２６において該当部品について格納されている推奨度を更新する、評価値訂正処理部５１１を備える。なお、評価値訂正処理部５１１は、前記ユーザ評価値のデータを、入力インターフェイス１０５または通信装置１０７から一定の期間にわたって受け付けてユーザ評価値蓄積データベース５２６にて蓄積し、前記一定期間の経過後に推奨度の算定処理をまとめて行うとしてもよい。
【００７７】
また、前記システム１００は、前記ユーザ端末３００ないし管理者端末６００由来の、評価対象の部品の追加を要求するデータを入力インターフェイス１０５または通信装置１０７から受け付けて、前記部品追加要求データを出力インターフェイス１０６に表示し、入力インターフェイス１０５から前記部品追加要求データに応じた該当部品の追加の要求受諾指示を取得した場合、該当部品の評価結果を格納するためのレコードを前記評価結果データベース１２５に追加する、新規部品評価処理部５１２を備える。なお、前記新規部品評価処理部５１２は、前記評価対象の部品の追加要求データを入力インターフェイス１０５または通信装置１０７から一定の期間にわたって受け付けて新規部品蓄積データベース５２７にて蓄積し、前記一定期間の経過後、蓄積データを前記出力インターフェイス１０６に表示するとしてもよい。
【００７８】
なお、前記評価値訂正処理部５１１において実行される、推奨度計算の処理を、依頼情報分析部５１３で担い、一定期間にわたる前記推奨度計算の処理結果を分析結果データベース５２８に格納しておくとしてもよい。この場合、前記評価値訂正処理部５１１ないしは前記依頼情報分析部５１３が、前記一定期間の経過後、前記推奨度データベース１２６における該当部品についての推奨度更新処理を、前記分析結果データベース５２８での蓄積データに基づいて行うとしてもよい。また、評価項目や部品の追加・削除についての処理については変更データ登録部５１４が担うとしてもよい。
【００７９】
−−−他実施形態でのデータベース構成−−−
図２０は、他実施形態における、（ａ）新規評価項目蓄積データベース５２５、（ｂ）ユーザ評価値蓄積データベース５２６、（ｃ）新規部品蓄積データベース５２７、の各データ構造例を示す図である。
【００８０】
新規評価項目蓄積データベース５２５は、前記評価項目変更処理部５１０が、入力インターフェイス１０５または通信装置１０７から一定の期間にわたって受け付けた前記評価項目の追加または削除の要求データを蓄積するデータベースである。この新規評価項目蓄積データベース５２５は、例えば、要求の依頼者を特定する依頼者番号（前記システム１００を運用する企業内等における社員ＩＤ等を想定する）をキーとして、依頼者氏名、所属部署、評価カテゴリ（評価項目名の上位概念を示す属性）、カテゴリフラグ（既存のカテゴリなのか新規のカテゴリなのかを示すフラグ）、評価項目名、評価項目フラグ（要求された処理内容が追加なのか削除なのかを示すフラグ）、依頼日、処理ステータス（管理者により検討済みか未検討かを示す）、コメント（例えば、依頼者が記載する要求意図）といったデータを対応付けたレコードの集合体となっている。
【００８１】
また、前記ユーザ評価値蓄積データベース５２６は、評価値訂正処理部５１１が、入力インターフェイス１０５または通信装置１０７から一定の期間にわたって前記ユーザ評価値のデータを受け付けて蓄積するデータベースである。このユーザ評価値蓄積データベース５２６は、例えば、評価値の登録依頼をしてきた登録者の登録者番号（前記依頼者番号と同様に社員ＩＤなどを想定）をキーとして、登録者氏名、所属部署、評価した部品の部品名称、部品コード、評価項目名、評価値、依頼日、処理ステータス（管理者により検討済みか未検討かを示す）、コメントといったデータを対応付けたレコードの集合体となっている。
【００８２】
また、前記新規部品蓄積データベース５２７は、前記新規部品評価処理部５１２が、入力インターフェイス１０５または通信装置１０７から一定の期間にわたって、前記評価対象の部品の追加要求データを受け付けて蓄積するデータベースである。この新規部品蓄積データベース５２７は、例えば、新規部品の登録依頼をしてきた登録者の登録者番号（前記依頼者番号と同様に社員ＩＤなどを想定）をキーとして、登録者氏名、所属部署、部品名称、ファミリー名（前記部品の属する上位概念）、メーカ名、メーカ型番、依頼日、評価依頼形態（新規部品が“推奨”の部品なのか、“必須”の部品なのかを示す）、処理ステータス（管理者により検討済みか未検討かを示す）、コメントといったデータを対応付けたレコードの集合体となっている。
【００８３】
図２１は、他実施形態における分析結果データベース５２８のデータ構造例を示す図である。この分析結果データベース５２８は、前記評価値訂正処理部５１１ないし前記依頼情報分析部５１３が、一定期間にわたる前記推奨度計算の処理結果を蓄積するデータベースである。前記分析結果データベース５２８は、例えば、上記各データベース５２５〜５２７に対応するテーブルを格納しており、例えば評価項目テーブルでは、評価カテゴリをキーとして、カテゴリフラグ、評価項目名、評価項目フラグ（追加したのか、削除したのか）、確定日（評価項目の追加ないしは削除の処理が確定した日）、評価値の種類（例：点数、レベルなど）といったデータを対応付けたレコードの集合体となっている。また、例えば新規評価値テーブルでは、部品名称をキーとして、部品コード、評価項目名、評価値、確定日といったデータを対応付けたレコードの集合体となっている。また、例えば新規承認部品テーブルでは、部品名称をキーとして、ファミリー名、メーカ名、メーカ型番、確定日といったデータを対応付けたレコードの集合体となっている。
【００８４】
−−−他実施形態における処理フロー例−−−
図２２は、他実施形態における、部品の採用決定支援方法に対応する処理フロー例を示す図である。ここでは、前記部品評価フィードバックシステム５００の機能を備えた前記システム１００が、部品の実際のユーザ（メーカー内の設計部門や製造部門等の担当者）や管理者の意向である、評価項目の追加や削除の依頼、部品の評価値、新規部品の登録・評価の依頼、をユーザ端末３００や管理者端末６００から取得し、適宜な処理を実行する例を説明する。
【００８５】
この時、前記システム１００の評価項目変更処理部５１０は、前記ユーザ端末３００ないし管理者端末６００から、評価項目の追加または削除のリクエストを受け付けて（ｓ５００）、それに応じて記憶装置１０１に予め格納したある画面データを返信する（ｓ５０１）。前記ユーザ端末３００ないし管理者端末６００において、前記画面データを出力インターフェイスに表示し（図２３の画面例参照）、ユーザや管理者からの評価項目追加または削除に関する入力を受付ける。そしてユーザ端末３００ないし管理者端末６００はここで受け付けたデータをシステム１００に返信する。
【００８６】
システム１００の評価項目変更処理部５１０は、前記ユーザ端末３００ないし管理者端末６００から、前記評価項目の追加または削除の要求データを受信し（ｓ５０２）、この要求データを前記新規評価項目蓄積データベース５２５に格納する（ｓ５０３）。前記評価項目変更処理部５１０は、こうした要求データの新規評価項目蓄積データベース５２５への格納処理を一定の期間にわたって継続する。そして一定期間の経過後、蓄積データを前記出力インターフェイス１０６に表示する（ｓ５０４）。
【００８７】
管理者等は前記要求データを閲覧して確認し、入力インターフェイス１０５から前記要求データに応じた該当評価項目の追加または削除の要求受諾指示を入力することとなる（図２６の画面例参照）。したがって前記システム１００は、前記要求受諾指示を取得した場合（ｓ５０５：ＯＫ）、該当評価項目の追加または削除の処理を、前記評価項目バージョンデータベース１２７の該当データについて実行する（ｓ５０６）。前記要求受諾指示を一定期間取得できなかった場合（ｓ５０５：ＮＧ）、前記要求データに応じた評価項目の追加や削除の処理は却下されたものとして、例えば、その旨を前記ユーザ端末３００ないし管理者端末６００に返信し（ｓ５０７）、処理を終了する。
【００８８】
また、前記システム１００の評価値訂正処理部５１１は、前記ユーザ端末３００から、ある部品について実際にユーザが検証したユーザ評価値の登録リクエストを受け付けて（ｓ６００）、それに応じて記憶装置１０１に予め格納したある画面データを返信する（ｓ６０１）。前記ユーザ端末３００において、前記画面データを出力インターフェイスに表示し（図２４の画面例参照）、ユーザからのユーザ評価値の登録に関する入力を受付ける。そしてユーザ端末３００はここで受け付けたデータをシステム１００に返信する。
【００８９】
そして前記評価値訂正処理部５１１は、前記ユーザ端末３００から、所定部品に対して当該部品のユーザが検証した、所定評価項目についての評価結果であるユーザ評価値を受信し（ｓ６０２）、ユーザ評価値蓄積データベース５２６に格納する（ｓ６０３）。前記評価値訂正処理部５１１は、前記ユーザ評価値のデータを、前記ユーザ端末３００から一定の期間にわたって受け付けて前記ユーザ評価値蓄積データベース５２６にて蓄積し、前記一定期間の経過後に以下の推奨度の算定処理をまとめて行うとしてもよい。
【００９０】
前記評価値訂正処理部５１１は、図２７に示すユーザ評価値分析・統計画面（管理者用）の例にように、ユーザ評価値を部品毎にリストアップしたユーザ評価結果８４１と、このユーザ評価結果８４１をグラフ化した部品評価値グラフ８４２を出力インターフェイス１０６に表示するとしても良い。そして、例えば、前記ユーザ評価結果８４１の含むユーザ評価値の平均を算定し、その算定結果をもって該当部品の新たな評価値とする。前記ユーザ評価値の平均は、Σ（評価値×人数）／Σ人数、なる式で算定できる。
【００９１】
例えば、「良い」の評価値を「５」、「やや良い」の評価値を「４」、「普通」の評価値を「３」、「やや悪い」の評価値を「２」、「悪い」の評価値を「１」だとすれば、図２７の例であれば、（５×２３＋４×３２＋３×３２＋２×１２＋１×８）／（２３＋３２＋３２＋１２＋８）＝３．４４、となり、ユーザ評価値の平均は、約「３」であるから、新たな評価値は「普通」となる。そして、前記評価値訂正処理部５１１は、前記算定した新たな評価値に基づいて新たな推奨度を算定し、この推奨度でもって前記推奨度データベース１２６において該当部品について格納されている推奨度を更新する（ｓ６０４）。
【００９２】
また、前記システム１００の新規部品評価処理部５１２は、前記ユーザ端末３００ないし管理者端末６００から、評価対象の部品の追加リクエストを受け付けて（ｓ７００）、それに応じて記憶装置１０１に予め格納したある画面データを返信する（ｓ７０１）。前記ユーザ端末３００ないし管理者端末６００において、前記画面データを出力インターフェイスに表示し（図２５の画面例参照）、ユーザや管理者からの部品追加に関する入力を受付ける。そしてユーザ端末３００ないし管理者端末６００はここで受け付けたデータをシステム１００に返信する。
【００９３】
前記新規部品評価処理部５１２は、前記ユーザ端末３００ないし管理者端末６００から、評価対象の部品の追加を要求するデータを受信して（ｓ７０２）、前記新規部品蓄積データベース５２７にて格納する（ｓ７０３）。前記新規部品評価処理部５１２は、こうした要求データの新規部品蓄積データベース５２７への格納処理を一定の期間にわたって継続する。そして一定期間の経過後、蓄積データを前記出力インターフェイス１０６に表示する（ｓ７０４）。
【００９４】
管理者等は前記要求データを閲覧して確認し、入力インターフェイス１０５から前記要求データに応じた該当部品の追加の要求受諾指示を入力することとなる（図２８の画面例参照）。したがって前記システム１００は、前記要求受諾指示を取得した場合（ｓ７０５：ＯＫ）、該当部品の評価結果を格納するためのレコードを前記評価結果データベース１２５に追加する（ｓ７０６）。前記要求受諾指示を一定期間取得できなかった場合（ｓ７０５：ＮＧ）、前記要求データに応じた部品の追加処理は却下されたものとして、例えば、その旨を前記ユーザ端末３００ないし管理者端末６００に返信し（ｓ７０７）、処理を終了する。
【００９５】
以上、本実施形態によれば、各種部品について、それぞれが有する複数の評価項目を総合的に評価しつつ、しかも正確かつ迅速に、その選定作業における採用／不採用の決定を行うことが可能になる。
【００９６】
以上、本発明の実施の形態について、その実施の形態に基づき具体的に説明したが、これに限定されるものではなく、その要旨を逸脱しない範囲で種々変更可能である。
【図面の簡単な説明】
【００９７】
【図１】本実施形態の部品の採用決定支援システムを含むネットワーク構成図である。
【図２】本実施形態における推奨度計算の概念を示す説明図である。
【図３】本実施形態における環境評価結果データベースのデータ構造例を示す図である。
【図４】本実施形態における品質評価結果データベースのデータ構造例を示す図である。
【図５】本実施形態における調達評価結果データベースのデータ構造例を示す図である。
【図６】本実施形態における推奨度データベースのデータ構造例を示す図である。
【図７】本実施形態における評価項目バージョンデータベースのデータ構造例を示す図である。
【図８】本実施形態における部品仕様データベースのデータ構造例を示す図である。
【図９】本実施形態における含有化学物質データベースのデータ構造例を示す図である。
【図１０】本実施形態における評価項目内用データベースのデータ構造例を示す図である。
【図１１】本実施形態の部品の採用決定支援方法に対応する処理フロー例１を示す図である。
【図１２】本実施形態の処理フロー例１において使用される、評価項目の有効／無効登録画面の一例を示す図である。
【図１３】本実施形態の処理フロー例１において使用される、環境評価基準のファイルの一例を示す図である。
【図１４】本実施形態の処理フロー例１において使用される、品質評価項目の評価値登録画面の一例を示す図である。
【図１５】本実施形態の処理フロー例１において使用される、調達評価項目の評価値登録画面の一例を示す図である。
【図１６】本実施形態の部品の採用決定支援方法に対応する処理フロー例２を示す図である。
【図１７】本実施形態の処理フロー例２において使用される、加味推奨度条件入力画面の一例を示す図である。
【図１８】本実施形態の処理フロー例２において使用される、加味推奨度計算結果画面の一例を示す図である。
【図１９】他実施形態における、部品の採用決定支援システムを含むネットワーク構成図である。
【図２０】他実施形態における、（ａ）新規評価項目蓄積データベース、（ｂ）ユーザ評価値蓄積データベース、（ｃ）新規部品蓄積データベース、の各データ構造例を示す図である。
【図２１】他実施形態における分析結果データベースのデータ構造例を示す図である。
【図２２】他実施形態における、部品の採用決定支援方法に対応する処理フロー例を示す図である。
【図２３】他実施形態における、評価項目変更依頼画面（ユーザ用）の例を示す図である。
【図２４】他実施形態における、ユーザ評価値登録画面（ユーザ用）の例を示す図である。
【図２５】他実施形態における、新規部品評価の依頼画面（ユーザ用）の例を示す図である。
【図２６】他実施形態における、評価項目変更依頼確認・登録画面（管理者用）の例を示す図である。
【図２７】他実施形態における、ユーザ評価値分析・統計画面（管理者用）の例を示す図である。
【図２８】他実施形態における、新規部品確認・登録画面（管理者用）の例を示す図である。
【符号の説明】
【００９８】
１００  部品の採用決定支援システム
１０１  プログラムデータベース
１０２  プログラム
１０３  メモリ
１０４  ＣＰＵ
１０５  入力インターフェイス
１０６  出力インターフェイス
１０７  通信装置
１０８  Ｉ／Ｏ部
１２５  評価結果データベース
１２６  推奨度データベース
１２７  評価項目バージョンデータベース
１４０  インターネット
１５０  評価結果登録部
１５１  推奨度計算部
１５２  重視評価項目登録部
１５３  加味推奨度計算部
１５４  加味推奨度出力部
１５５  評価項目バージョン登録部
２００  部品評価システム
３００  ユーザ端末
４００  サプライヤの端末
５００  部品評価フィードバックシステム
５１０  評価項目変更処理部
５１１  評価値訂正処理部
５１２  新規部品評価処理部
５１３  依頼情報分析部
５１４  変更データ登録部
５２５  新規評価項目蓄積データベース
５２６  ユーザ評価値蓄積データベース
５２７  新規部品蓄積データベース
５２８  分析結果データベース
６００  管理者端末
【図１】
2008159023.tif 000003
【図２】
2008159023.tif 000004
【図３】
2008159023.tif 000005
【図４】
2008159023.tif 000006
【図５】
2008159023.tif 000007
【図６】
2008159023.tif 000008
【図７】
2008159023.tif 000009
【図８】
2008159023.tif 000010
【図９】
2008159023.tif 000011
【図１０】
2008159023.tif 000012
【図１１】
2008159023.tif 000013
【図１２】
2008159023.tif 000014
【図１３】
2008159023.tif 000015
【図１４】
2008159023.tif 000016
【図１５】
2008159023.tif 000017
【図１６】
2008159023.tif 000018
【図１７】
2008159023.tif 000019
【図１８】
2008159023.tif 000020
【図１９】
2008159023.tif 000021
【図２０】
2008159023.tif 000022
【図２１】
2008159023.tif 000023
【図２２】
2008159023.tif 000024
【図２３】
2008159023.tif 000025
【図２４】
2008159023.tif 000026
【図２５】
2008159023.tif 000027
【図２６】
2008159023.tif 000028
【図２７】
2008159023.tif 000029
【図２８】
2008159023.tif 000030